(57)【要約】【課題】  放送受信記録再生装置において、放送チャンネルと番組ジャンルから番組の本編部の終了位置を推定し、再生終了後の消去操作等をしやすくする。【解決手段】  放送信号を受信し記録し再生する放送受信記録再生装置において、番組の記録再生操作を行う操作部と、電子番組ガイドを取得する電子番組ガイド取得部と、電子番組ガイドにより番組を選択して記録するとき、記録した番組の番組ジャンル及び放送チャンネルによって記録した番組を再生し再生停止したときの処理選択画面を表示する再生済み経過時間を設定する処理選択画面表示時間設定部と、設定された再生済み経過時間後に再生停止したとき表示する処理選択画面の種類を設定する処理選択画面設定部と、番組を再生停止したときの再生済み経過時間が設定された再生済み経過時間以上であるとき、設定された処理選択画面を表示させる制御部とを備えた。【選択図】      図１
2008067249.tif 000002
【特許請求の範囲】
【請求項１】
放送信号を受信する放送受信部と、前記放送受信部が受信した放送の番組を記録する番組記録部と、前記番組記録部が記録した番組を再生する番組再生部と、番組の記録及び再生に関する操作を行う操作部と、放送チャンネル毎の番組名及び番組ジャンルを含む電子番組ガイドを取得する電子番組ガイド取得部と、前記電子番組ガイド取得部が取得した電子番組ガイドにより番組を選択して記録するとき、記録する番組の番組ジャンル及び放送チャンネルによって記録した番組を再生し前記操作部の停止操作によって再生停止したときの処理選択画面を表示する再生済み経過時間を設定する処理選択画面表示時間設定部と、前記処理選択画面表示時間設定部が設定した再生済み経過時間後に再生停止したとき表示する処理選択画面の種類を設定する処理選択画面設定部と、前記番組再生部が番組を再生し前記操作部の停止操作によって再生を停止したときの再生済み経過時間が処理選択画面表示時間設定部によって設定された再生済み経過時間以上であったとき、前記処理選択画面設定部に設定された処理選択画面を表示させる制御部とを備えたことを特徴とする放送受信記録再生装置。
【請求項２】
請求項１に記載の放送受信記録再生装置において、前記電子番組ガイド取得部が取得した放送チャンネル毎の番組名及び番組ジャンル、並びに前記処理選択画面表示時間設定部が設定した再生済み経過時間、及び前記処理選択画面設定部が設定した処理選択画面の種類を番組ごとの付加情報として前記番組記録部に記録することを特徴とする放送受信記録再生装置。
【発明の詳細な説明】
【技術分野】
【０００１】
本発明は、電子番組ガイドを用いて選択した放送番組を受信し記録し再生する放送受信記録再生装置に関する。
【背景技術】
【０００２】
近年、テレビジョン放送には、ＢＳ(Broadcasting Satellite)放送、ＣＳ(Communication Satellite)放送、地上ディジタル放送、地上アナログ放送など、多くの放送チャンネルがあり、使用者にとって視聴する番組の選択肢が多くある。使用者は、視聴したい番組を自分の都合の良い時間に視聴するために、ハードディスクレコーダなどを用いて記録する。
【０００３】
番組を記録するとき、電子番組ガイドを利用することができるハードディスクレコーダなどの装置がある。電子番組ガイド(ＥＰＧ：Electronic Program Guide)とは、使用者が放送番組の情報を得ることができる情報提供方式である。ＥＰＧは、放送局から送信される放送電波と共に送信する方法、専用の送信局から送信する方法、又はインターネットを介して提供する方法のいずれかの方法でその情報が提供され、ＥＰＧ機能を備えた放送受信装置等が受信すると、番組表の形式で画面に表示し、使用者は、表示された番組表で記録予約等の操作を行うことができる。ＥＰＧは、放送チャンネル毎の、番組名、番組ジャンル、番組開始時間、及び番組終了時間の情報を有している。
【０００４】
番組を記録して視聴する機会が増えてくると、ハードディスクレコーダなどでは記録できる容量に上限があるため、記録された番組で空き容量がなくなって新しい番組が記録できなくなることがある。そこで、空き容量を確保するために、記録した番組のうち視聴済みで不要になったものは消去することが必要となる。
【０００５】
従来、視聴済みの番組の消去操作を容易にするため、記録した番組を再生し終えると消去するか否かの問い合わせを行う装置がある。また、再生し終えたか否かを判断する場合、例えば、映画の番組では、映画本編の後に出演者名やスタッフ名等のエンドロール、次回放送予定の映画の予告編等を数分流す構成になっていて、本編部を視聴したところで再生を停止し視聴終了とする使用者が多いので、本編部まで再生し終えていれば、視聴済みと判断することができる。そこで、番組全体の記録時間から視聴済みと判断できる位置を演算によって求め、消去するか否かの問い合わせを行うコンテンツ記録再生装置があった（特許文献１参照）。
【０００６】
【特許文献１】特開２００４−２０７９３５号公報
【発明の開示】
【発明が解決しようとする課題】
【０００７】
特許文献１のコンテンツ記録再生装置は、番組全体の記録時間から演算によって視聴済みと判断できる本編部の終了位置を求めるものであって、番組ジャンルや放送チャンネルに対応した処理は行われていなかった。
例えば、番組ジャンルが映画とドラマとでは、視聴済みと判断するべき本編部の終了位置が異なる。また、地上放送、ＢＳ放送、ＣＳ放送においては、同じ映画を放送しても、地上放送ではエンドロールをほとんど放送せずに番組を終了する場合が多く、ＢＳ放送、ＣＳ放送ではエンドロールを完全に最後まで放送することが多い。
【０００８】
このように、同じ番組ジャンル、又は同じ番組でも、地上放送、ＢＳ放送、ＣＳ放送の各放送チャンネルによって、番組全体の記録時間に対する本編時間の割合が異なる。従って、番組ジャンル又は放送チャンネルによって区別して視聴済みと判断するべき本編部の終了位置を求める処理が必要とされる。
【０００９】
本発明の目的は、放送受信記録再生装置において、電子番組ガイドに基づいて記録予約を行ったとき、放送チャンネルと番組ジャンルから番組の本編部の終了位置を推定し、本編部の再生終了後に再生を停止したとき表示する処理選択画面を決定することにより、記録した番組の再生終了後の消去又は保存を行いやすくした装置を提供することにある。
【課題を解決するための手段】
【００１０】
本発明の請求項１に記載の放送受信記録再生装置は、放送信号を受信する放送受信部と、前記放送受信部が受信した放送の番組を記録する番組記録部と、前記番組記録部が記録した番組を再生する番組再生部と、番組の記録及び再生に関する操作を行う操作部と、放送チャンネル毎の番組名及び番組ジャンルを含む電子番組ガイドを取得する電子番組ガイド取得部と、前記電子番組ガイド取得部が取得した電子番組ガイドにより番組を選択して記録するとき、記録する番組の番組ジャンル及び放送チャンネルによって記録した番組を再生し前記操作部の停止操作によって再生停止したときの処理選択画面を表示する再生済み経過時間を設定する処理選択画面表示時間設定部と、前記処理選択画面表示時間設定部が設定した再生済み経過時間後に再生停止したとき表示する処理選択画面の種類を設定する処理選択画面設定部と、前記番組再生部が番組を再生し前記操作部の停止操作によって再生を停止したときの再生済み経過時間が処理選択画面表示時間設定部によって設定された再生済み経過時間以上であったとき、前記処理選択画面設定部に設定された処理選択画面を表示させる制御部とを備えたものである。
【００１１】
本発明の請求項２に記載の放送受信記録再生装置は、前記電子番組ガイド取得部が取得した放送チャンネル毎の番組名及び番組ジャンル、並びに前記処理選択画面表示時間設定部が設定した再生済み経過時間、及び前記処理選択画面設定部が設定した処理選択画面の種類を番組ごとの付加情報として前記番組記録部に記録するものである。
【発明の効果】
【００１２】
本発明の放送受信記録再生装置によれば、電子番組ガイドに基づいて記録予約を行ったとき、放送チャンネルと番組ジャンルから番組の本編部の終了位置を推定し、本編部の再生終了後に再生を停止したとき表示する処理選択画面を決定することができる。
また、本発明の放送受信記録再生装置によれば、本編部の再生終了後に再生を停止したとき表示する処理選択画面を決定し記録番組の再生終了後の消去又は保存を行いやすくすることができる。
【発明を実施するための最良の形態】
【００１３】
図１は、本発明の放送受信記録再生装置の一実施例の構成を示すブロック図である。
地上アナログチューナ１は、地上アナログ放送を受信する。地上ディジタルチューナ２は、地上ディジタル放送を受信する。ＢＳディジタルチューナ３は、ＢＳディジタル放送を受信する。ＣＳディジタルチューナ４は、ＣＳディジタル放送を受信する。
セレクタ５は、ＣＰＵ９からの指示によって、地上アナログチューナ１が受信した地上アナログ放送、地上ディジタルチューナ２が受信した地上ディジタル放送、ＢＳディジタルチューナ３が受信したＢＳディジタル放送、ＣＳディジタルチューナ４が受信したＣＳディジタル放送のうち、指示された放送信号を選択し出力する。
【００１４】
インターネット接続端子６は、インターネットに接続され、インターネットを介して番組情報センターから提供されるＥＰＧを入力する。
電子番組ガイド(ＥＰＧ)復号器７は、地上アナログチューナ１からの地上アナログ放送のＥＰＧ、地上ディジタルチューナ２からの地上ディジタル放送のＥＰＧ、ＢＳディジタルチューナ３からのＢＳディジタル放送のＥＰＧ、ＣＳディジタルチューナ４からのＣＳディジタル放送のＥＰＧ、インターネット接続端子６からのＥＰＧを、それぞれ取得し復号する。
【００１５】
エンコーダ８は、セレクタ５から入力された信号をエンコードし、ＤＶＤ(Digital Versatile Disc)規格に基づくフォーマットのビデオ信号及びオーディオ信号に変換する。
ＣＰＵ(Central Processing Unit)９は、セレクタ５、ＥＰＧ復号器７、データ制御部１０、ＯＳＤ１３を制御する。
データ制御部１０は、エンコーダ８が変換したＤＶＤ規格に基づくフォーマットのビデオ信号及びオーディオ信号を、ＣＰＵ９からの指示によって、ハードディスクドライブ(ＨＤＤ)１４、又はＤＶＤドライブ部１５のＤＶＤに記録する。
【００１６】
バッファメモリ１１は、データ制御部１０がＨＤＤ１４又はＤＶＤドライブ部１５の記録を開始した後、ＨＤＤ１４又はＤＶＤドライブ部１５が記録ヘッドの移動中などですぐに記録できない場合、データ制御部１０からの出力信号を一時的に記憶する。ＨＤＤ１４又はＤＶＤドライブ部１５の記録ヘッドの移動が終了し記録可能となったとき、データ制御部１０は、バッファメモリ１１に記憶された信号を読み出し、ＨＤＤ１４又はＤＶＤドライブ部１５に記録する。
表示部１６は、ＣＰＵ９から出力される文字等の表示信号を表示する。
キー操作部１７は、操作キーを備え、記録の開始及び停止、再生の開始及び停止、記録の予約等の操作信号をＣＰＵ９に入力する。
【００１７】
記録した番組を再生する場合、データ制御部１０は、ＨＤＤ１４又はＤＶＤドライブ部１５のＤＶＤに記録されたビデオ信号及びオーディオ信号を読み出す。
デコーダ１２は、データ制御部１０が読み出したビデオ信号及びオーディオ信号を復調し、オーディオ出力端子１８を介して外部のスピーカ等にオーディオ信号を出力し、ＯＳＤ１３ビデオ信号出力端子１９を介して外部の表示装置等にビデオ信号を出力する。ＯＳＤ１３は、ＥＰＧ復号器７からＥＰＧがＣＰＵ９を介して出力されたとき、デコーダ１２から出力されたビデオ信号にＥＰＧの番組表を合成してビデオ出力端子１９に出力する。
【００１８】
使用者は、ビデオ出力端子１９を介して出力され外部の表示装置に表示されたＥＰＧを参照し、ＥＰＧ表示上に示されるカーソルをキー操作部１５によって操作して番組の記録予約を行う。番組の記録予約情報は、ＣＰＵ９内の図示しないメモリに記憶され、ＣＰＵ９は予約された記録時刻になるとデータ制御部１０に番組の記録を行わせる。
【００１９】
ＥＰＧに含まれる番組ジャンル情報は、映画、ドラマ、スポーツ、その他である。
番組ジャンルが映画であって放送チャンネルがＢＳディジタル放送又はＣＳディジタル放送である場合には、映画の本編が終了した後もエンドロールが数分間完全に放送されることが多いため、ＣＰＵ９は、処理選択画面を表示する再生済み経過時間を記録した番組の終了５分前とする。
番組ジャンルが映画であって放送チャンネルが地上アナログ放送又は地上ディジタル放送である場合には、エンドロールは放送されないことが多いので、ＣＰＵ９は、処理選択画面を表示する再生済み経過時間を記録した番組の終了１分前とする。
【００２０】
処理選択画面の種類は、ＨＤＤ１４に記録された番組を消去する「消去」、ＨＤＤ１４に記録された番組をＤＶＤドライブ１５のＤＶＤに記録した後にＨＤＤ１４に記録された当該番組を消去する「移動」、ＨＤＤ１４に記録された番組をＤＶＤドライブ１５のＤＶＤに記録しＨＤＤ１４に記録された当該番組も残す「ＤＶＤへの保存」を選択し、ＣＰＵ９に設定することができる。また、処理選択画面を表示させない選択をしてＣＰＵ９に設定することもできる。
処理選択画面を表示するとき、ＣＰＵ９は、ＢＳディジタル放送又はＣＳディジタル放送の記録番組を再生した場合には、当該番組を保存することが多いため、「移動」の処理選択画面を表示させる。地上アナログ放送又は地上ディジタル放送の記録番組を再生した場合には、当該番組を保存しないことが多いため、ＣＰＵ９は、「消去」の処理選択画面を表示させる。
【００２１】
番組ジャンルが、ドラマ、スポーツ、又はその他である場合には、どの放送チャンネルであっても、処理選択画面を表示する再生済み経過時間を記録番組の終了１分前とする。
なお、使用者が、処理選択画面を表示する再生済み経過時間、及び表示する処理選択画面の種類を変更して設定したい場合には、キー操作部１７を操作し、記録する番組ごとに、処理選択画面を表示する再生済み経過時間、及び表示する処理選択画面の種類を変更する操作をして、ＣＰＵ９に設定する。
【００２２】
ＣＰＵ９は、番組ジャンルが、映画、スポーツ、又はその他である場合、放送チャンネル毎に処理選択画面を設定する。また、ＣＰＵ９は、番組ジャンルが映画である場合、前回に使用した処理選択画面の設定を、次回に記録する番組ジャンルが映画の番組の処理選択画面の初期設定値として設定する。例えば、前回設定した処理選択画面が移動であれば次回の処理設定画面の初期設定を移動とし、前回設定した処理選択画面が消去であれば次回の処理設定画面の初期設定を消去とする。
【００２３】
ＣＰＵ９は、記録する番組の番組ジャンルがドラマである場合、設定された処理選択画面が、移動、又はＤＶＤへの保存であれば、番組名、処理選択画面の設定値を記憶する。次回に番組ジャンルがドラマである番組を記録するとき、番組名が同じであれば前回の処理選択画面を初期設定値とする。このようにして、保存している連続ドラマは再生し終わった後、移動、又はＤＶＤへの保存の処理選択画面が表示され、保存していない他のドラマは、消去の処理選択画面が表示されるので、使用者の使用状況に合った対応をすることができる。
【００２４】
番組を予約記録するときの情報を番組とともにＨＤＤ１４に記録することによって、記録した番組の再生停止時に当該情報に基づいて処理選択画面を表示し、記録した番組毎に使用者の期待する処理（消去、移動、ＤＶＤへの保存など）を行うことができる。
また、既に、ＤＶＤへの保存を行った番組に対しては、処理済みの情報をＨＤＤ１４に記録し、再生停止後に設定した処理選択画面を表示しないようにして、使用者に余計な手間をかけさせないようにすることもできる。
【図面の簡単な説明】
【００２５】
【図１】本発明の放送受信記録再生装置の一実施例の構成を示すブロック図である。
【符号の説明】
【００２６】
１  地上アナログチューナ
２  地上ディジタルチューナ
３  ＢＳディジタルチューナ
４  ＣＳディジタルチューナ
５  セレクタ
６  インターネット接続端子
７  電子番組ガイド復号器
８  エンコーダ
９  ＣＰＵ
１０  データ制御部
１１  バッファメモリ
１２  デコーダ
１３  ＯＳＤ
１４  ＨＤＤ
１５  ＤＶＤドライブ部
１６  表示部
１７  キー操作部
１８  オーディオ出力端子
１９  ビデオ出力端子
【図１】
2008067249.tif 000003